(57)【要約】【課題】撮影者の撮影意図に合致した画質の画像がプリントできるようなデジタルカメラ及び画像再生装置を提供する。【解決手段】撮影意図識別手段が撮影履歴情報を基にして撮影時の撮影意図を識別する。撮影履歴情報とは、過去に撮影した際の設定内容、撮影画像等に関する情報である。撮影意図識別手段で撮影意図があったと識別した場合には、ユーザインテンションフラグをＯＮにし、そのフラグは記録画像データに対応させて記録保存される。記録画像データをプリントする際には、ユーザインテンションフラグを読み取って、プリント前処理パラメータの処理量を変更する。【選択図】図２
2004056440.tif 000002
【特許請求の範囲】
【請求項１】
デジタルカメラであって、
撮影履歴情報を基にして撮影時の撮影意図を識別する撮影意図識別手段と、
前記撮影意図識別手段で撮影意図があったと識別した場合に当該撮影意図があったことを示す意図情報を生成する意図情報生成手段と、
前記意図情報を記録画像データに対応させて記録保存する記録手段と、
からなることを特徴とするデジタルカメラ。
【請求項２】
前記撮影履歴情報はカメラ設定項目の履歴を含むカメラ設定履歴情報からなり、前記撮影意図識別手段は、前記カメラ設定項目のいずれかがマニュアル値に設定されたこと及び設定値が変更されたことの少なくともどちらかがされた場合に撮影意図があったと識別する請求項１のデジタルカメラ。
【請求項３】
前記撮影履歴情報は撮影された各静止画像情報を含み、前記撮影意図識別手段は、前記撮影された各静止画像情報を基にして撮影された各静止画像情報間の相関性を判別することによって撮影画像の類似性を判断して撮影意図があったと識別し、撮影意図があったと識別した場合は類似性の高い画像すべてに対して前記意図情報生成手段において前記意図情報を生成する請求項２のデジタルカメラ。
【請求項４】
前記カメラ設定項目がマニュアル値に設定されてから又は前記カメラ設定項目の設定値が変更されてから所定時間内に変更されずに同じ設定値であった場合には、誤設定と判断して意図情報を消去する請求項２のデジタルカメラ。
【請求項５】
前記カメラ設定項目のうち少なくとも一つを標準と異なる値に設定したことによって前記撮影意図識別手段は撮影意図があったと識別することを特徴とする請求項２のデジタルカメラ。
【請求項６】
デジタルカメラで撮影された画像を再生する画像再生装置であって、
撮影意図があったことを示す意図情報を受けた場合に前記意図情報に対応して記録保存された記録画像データを再生するときは、再生前処理パラメータの処理量を変更することを特徴とする画像再生装置。
【発明の詳細な説明】
【０００１】
【発明の属する技術分野】
本発明は、デジタルカメラ及びデジタルカメラで撮影した画像をモニタやプリンタ上で再生する画像再生装置に関する。
【０００２】
【従来の技術】
従来、デジタルカメラで撮影した画像をプリンタでプリントする際には、プリンタにおいて入力画像のシーンを判別し、自動的に最適な条件を設定した上でプリント処理を行っていた。しかし、この方法では、撮影時にユーザがある特定の意図をもって処理傾向を設定して画像を記録した場合、例えば、夕暮れシーンでホワイトバランスを抑制し赤みを強調する設定をした場合には、カメラ側で処理傾向を所望なものに設定してもプリンタ側で自動的に条件処理していたので、ユーザの意図と異なった画質の画像がプリントされてしまうことがあった。
【０００３】
この問題に対して、特開平１０−１９１２４６は、カメラで撮影時に撮影情報を付与し、プリンタにおける自動処理を制御する方式を開示している。この撮影情報の一つとして、画像データが個別の画像処理を実施済みであることを示す所定のフラグを画像ごとに設定し、このフラグが設定された画像に対してプリンタは通常の自動処理を変更し、通常よりこれを低減又は停止するという方式である。
【０００４】
しかし、このフラグのＯＮ／ＯＦＦ設定を撮影者がカメラで選択可能とした場合、撮影者は記録される画像の傾向を逐次把握できず、いかなる場合にＯＮとすべきか判断できないという問題があり、また不必要に設定した場合には自動処理時より低い品質のプリント出力となってしまうという問題があった。
【０００５】
また、特開平１１−４１５１１は、カメラの撮影時の操作履歴を記憶し、その頻度の高いものを撮影データとして記録し、呼び出して再利用する方式を開示している。この方法によれば、撮影者が頻繁に使用するカメラの設定を再現できるが、この操作履歴情報の利用はカメラ内に限られており、画像再生装置の再生時の材料に使用することはできなかった。
【０００６】
また、特開平１１−２３４６００は、操作履歴を画像ごとに記録しておき、この履歴情報を画像検索に利用する方式を開示している。しかし、操作履歴から一つの情報を決定する機能はなく、画像再生装置の再生時の材料として使用することはできなかった。
【０００７】
【発明が解決しようとする課題】
本発明は、上記の事情を考慮して、撮影者の撮影意図に合致した画質の画像が再生できるように画像再生装置に自動的に撮影意図情報を提供できるデジタルカメラを提供することを目的とする。
【０００８】
本発明は、さらに、デジタルカメラで撮影した画像を撮影者の撮影意図を反映するように画像再生する画像再生装置を提供することを目的とする。
【０００９】
【課題を解決するための手段】
請求項１の本発明は、デジタルカメラであって、
撮影履歴情報を基にして撮影時の撮影意図を識別する撮影意図識別手段と、
前記撮影意図識別手段で撮影意図があったと識別した場合に当該撮影意図があったことを示す意図情報を生成する意図情報生成手段と、
前記意図情報を記録画像データに対応させて記録保存する記録手段と、
からなることを特徴とするデジタルカメラ、からなる。
【００１０】
請求項１の本発明によれば、撮影意図識別手段が撮影履歴情報を基にして撮影時の撮影意図を識別する。撮影履歴情報とは、過去に撮影した際の設定内容、撮影画像等に関する情報である。撮影意図とは、ユーザが撮影において思い通りの映像を出したいと思ったときにもつある特定の意図であって、例えば、夕暮れを鮮やかに撮りたい、白みを抑えたい、画像を鮮鋭にしたい、等のことである。前記撮影意図識別手段で撮影意図があったと識別した場合には、意図情報生成手段が撮影意図があったことを示す意図情報を生成する。前記意図情報は、記録手段が記録画像データに対応させて記録保存する。したがって、当該記録画像データを再生する際には、前記意図情報も記録画像データに対応して記録保存されているので、前記意図情報を読み取って再生する際の条件設定に前記意図情報を参照することができる。
【００１１】
請求項２の本発明は、前記撮影履歴情報はカメラ設定項目の履歴を含むカメラ設定履歴情報からなり、前記撮影意図識別手段は、前記カメラ設定項目のいずれかがマニュアル値に設定されたこと及び設定値が変更されたことの少なくともどちらかがされた場合に撮影意図があったと識別する請求項１のデジタルカメラ、からなる。
【００１２】
請求項２の本発明によれば、前記撮影履歴情報はカメラ設定項目の履歴を含むカメラ設定履歴情報からなる。カメラ設定項目の履歴とは、過去に撮影した際における、露出設定、露出補正、露出時間、ホワイトバランス、シャープネス、彩度強調、コントラスト、撮影シーン種別、等である。前記撮影意図識別手段は、前記カメラ設定項目のいずれかがマニュアル値に設定されたこと及び設定値が変更されたことの少なくともどちらかがされた場合に撮影意図があったと識別する。前記カメラ設定項目のいずれかがマニュアル値に設定されたということは、
何らかの撮影意図があったと考えられるからで、それまでの設定値が変更されたということも何らかの撮影意図があったと考えられるからである。
【００１３】
請求項３の本発明は、前記撮影履歴情報は撮影された各静止画像情報を含み、前記撮影意図識別手段は、前記撮影された各静止画像情報を基にして撮影された各静止画像情報間の相関性を判別することによって撮影画像の類似性を判断して撮影意図があったと識別し、撮影意図があったと識別した場合は類似性の高い画像すべてに対して前記意図情報生成手段において前記意図情報を生成する請求項２のデジタルカメラ、からなる。
【００１４】
請求項３の本発明によれば、撮影履歴情報は撮影された各静止画像情報を含む。撮影意図識別手段は、前記撮影された各静止画像情報を基にして撮影された各静止画像情報間の相関性を判別することによって撮影画像の類似性を判断して撮影意図があったと識別する。すなわち、各静止画像情報間の相関性を判別することによって撮影画像に類似性があると判断した場合には、撮影意図があったと識別する。類似画像を複数回撮影するということは、カメラ設定条件を変えて同一対象を撮影したい場合など、何らかの撮影意図が存在することが多いからである。撮影意図があったと識別した場合は類似性の高い画像すべてに対して意図情報生成手段において意図情報を生成する。
【００１５】
請求項４の本発明は、前記カメラ設定項目がマニュアル値に設定されてから又は前記カメラ設定項目の設定値が変更されてから所定時間内に変更されずに同じ設定値であった場合には、誤設定と判断して意図情報を消去する請求項２のデジタルカメラ、からなる。
【００１６】
請求項４の本発明によれば、カメラ設定項目がマニュアル値に設定されてから又はカメラ設定項目の設定値が変更されてから所定時間内に変更されずに同じ設定値であるということは、ユーザが特定の撮影意図をもっていないと考えられることから、誤設定と判断して一旦生成した意図情報を消去する。
【００１７】
請求項５の本発明は、前記カメラ設定項目のうち少なくとも一つを標準と異なる値に設定したことによって前記撮影意図識別手段は撮影意図があったと識別することを特徴とする請求項２のデジタルカメラ、からなる。
【００１８】
請求項５の本発明によれば、カメラ設定項目のうち、シャープネス、彩度強調、コントラスト、撮影シーン種別などは、「標準」といわれるレベルが定められていることがあるが、これらの少なくとも一つを標準と異なる値に設定したことによって特定の撮影意図があるものと考えられるので、前記撮影意図識別手段は撮影意図があったと識別する。
【００１９】
請求項６の本発明は、デジタルカメラで撮影された画像を再生する画像再生装置であって、
撮影意図があったことを示す意図情報を受けた場合に前記意図情報に対応して記録保存された記録画像データを再生するときは、再生前処理パラメータの処理量を変更することを特徴とする画像再生装置、からなる。
【００２０】
請求項６の本発明によれば、画像再生装置が撮影意図があったことを示す意図情報を受けた場合には、前記意図情報に対応して記録保存された記録画像データを再生する際に再生前処理パラメータの処理量を変更する。こうすることによって、画像再生装置が自動的に通常の前処理パラメータで処理することを防止し、意図した条件の下で再生できるようにする。
【００２１】
【発明の実施の形態】
以下、添付図面に従って、本発明に係るデジタルカメラ、及び画像再生装置であるプリンタの実施の形態について詳説する。
【００２２】
図１はデジタルカメラ２及びプリンタ２０の構成を示すブロック図である。
【００２３】
デジタルカメラ２は、撮像部４、画像処理部６、撮影モード設定部８、表示部１０、ＣＰＵ１２、メモリバッファ１４、カードＩ／Ｆ（インターフェース）１６からなる。
【００２４】
撮像部４は、撮影レンズ、絞り、ＣＣＤイメージセンサ、アナログ処理回路、Ａ／Ｄ変換器などからなる。
【００２５】
画像処理部６は、輝度・色差信号生成回路、ガンマ補正回路、シャープネス補正回路、コントラスト補正回路、ホワイトバランス補正回路、圧縮伸張回路などからなる。
【００２６】
撮影モード設定部８は、各種撮影モードを自動設定にしたりマニュアル設定にしたり設定値を変更したりすることができるところである。具体的には、露出設定、露出補正、露出時間、ホワイトバランスを自動設定にしたりマニュアル設定にしたりすることができる。また、シャープネス、彩度強調、コントラスト、撮影シーン種別などの項目を標準値に設定したり、標準値と異なる値に設定したりすることができる。さらに、上記自動設定の変更、マニュアル設定の変更、設定値の変更、標準値設定への変更、標準値と異なる値への設定の変更をすることもできる。
【００２７】
表示部１０は、ＬＣＤからなる。
【００２８】
ＣＰＵ１２は、デジタルカメラ２を統括制御する制御部である。ＣＰＵ１２は、パワー電源、撮影モード設定部８、その他の操作部から受け入れする入力信号に基づいて、対応する回路の動作を制御し、表示部１０における表示の制御、ストロボ発光制御、オートフォーカス（ＡＦ）制御、自動露出（ＡＥ）制御等を行う。ＣＰＵ１２は、ＣＣＤを介して入力された画像データに基づいて焦点評価演算やＡＥ演算などの各種演算を行い、その演算結果に基づいてレンズ駆動部を制御して撮影レンズを合焦位置に移動させる一方、アイリス駆動部を制御して絞りを適正絞り値に設定すると共にＣＣＤの電荷蓄積時間を制御する。
【００２９】
メモリバッファ１４は、カメラ設定条件に関する過去の設定値を記憶していると共にＣＰＵ１２が各種の演算処理等を行う作業用領域を有する。画像データは、圧縮された状態でカードＩ／Ｆ１６を介してメモリカード１８に記録される。本形態では、画像データを記録する手段としてメモリカードを適用したが、記録メディアの形態はこれに限らず、ＰＣカード、コンパクトフラッシュ、磁気ディスク、光ディスク、光磁気ディスク、メモリスティックなどでもよい。なお、カメラ設定条件に関する過去の設定値は、デジタルカメラ２内に不揮発メモリを配設してこの不揮発メモリ内に格納してもよい。
【００３０】
プリンタ２０の構成を説明する。
【００３１】
撮影画像データが格納されたメモリカード１８をカードＩ／Ｆ２２に差し込む。メモリカード１８から読み出された画像データは、メモリバッファ２６に送られ、メモリバッファ２６に一旦保存される。メモリバッファ２６に保存された画像データは再生部２８に送られ、格納される。再生部２８に格納された画像データは、画像判定部３０で画像解析され、その解析結果に基づいて濃度処理部３２において濃度処理され、エッジ強調処理部３４においてエッジ強調処理され、ＷＢ（ホワイトバランス）補正処理部３６においてホワイトバランス補正がされる。これらの処理は、処理内容に応じて前処理パラメータの処理量が予め決められている。また、これらの処理は、ＣＰＵ２４からのコマンドに従ってされる。
【００３２】
撮影画像を表示出力する場合、上記濃度処理等の処理がされた画像データが再生部２８で伸長された後、アナログ信号に変換され、プリントエンジン３８から出力されてプリントされる。
【００３３】
ＣＰＵ２４は、プリンタ２０を統括制御する制御部である。ＣＰＵ２０は、電源スイッチ、その他の操作部から受入する入力信号に基づいて、対応する回路の動作を制御し、再生部２８、濃度処理部３２、エッジ強調処理部３４、ＷＢ補正処理部３６の制御等を行う。
【００３４】
本実施の形態の作用を説明する。
【００３５】
まず、デジタルカメラ２の撮影履歴情報から説明する。撮影履歴情報としてはカメラ設定履歴情報、撮影画像がある。
【００３６】
カメラ設定履歴情報は、撮影者が撮影時にカメラに設定した条件及び設定時刻の情報である。このカメラ設定履歴情報は、その設定条件で画像が記録される毎に画像データに付随している所定の領域（後述）に記憶され、このカメラ設定履歴情報をもとに撮影者の撮影意図が識別される。
【００３７】
カメラ設定履歴情報には、過去に撮影した際に、露出設定、露出補正、露出時間、ホワイトバランス、シャープネス、彩度強調、コントラスト、撮影シーン種別の各項目において何を選択したかの情報が含まれている。
【００３８】
すなわち、このカメラ設定履歴情報には、露出関係事項（露出設定、露出補正、露出時間）及びホワイトバランスにおいては、自動露出、自動ホワイトバランスであったものがマニュアル設定に変更されたか、これらの露出関係事項又はホワイトバランスがそれまでマニュアル設定だった場合それまでの設定値を変更されたか、の情報も含まれており、マニュアル設定に変更された場合又は設定値が変更された場合は撮影者に撮影意図が存在するものと処理される。
【００３９】
また、このカメラ設定履歴情報には、シャープネス、彩度強調、コントラスト、撮影シーン種別のうち少なくとも１つを標準と異なる値に設定したかどうかの情報も含まれており、少なくとも１つを標準と異なる値に設定した場合は撮影者に撮影意図が存在するものと処理される。
【００４０】
さらに、このカメラ設定履歴情報には、露出設定、露出補正、露出時間、ホワイトバランス、シャープネス、彩度強調、コントラスト、撮影シーン種別の少なくとも１つが所定時間内に変更された場合の情報も含み、この場合は撮影意図が存在するものと処理される。
【００４１】
次に、撮影履歴情報としての撮影画像について説明する。これは、撮影画像のパターンが撮影画像間で類似性を持っている場合には、撮影者が何らかの撮影意図を持って撮影した可能性が高いことに着目したものである。露出、ホワイトバランスなどの種々の条件を変えて同じ対象を何回も撮影することは日常よく行われるからである。露出をだんだんしぼって同じ対象を繰り返し撮影するオートブラケット撮影は、その専用のモードがカメラに備えられていることが多いが、専用モードを選択した場合は露出やホワイトバランスのマニュアル設定や設定値変更をしなくて済んでしまうのでこの撮影画像間の類似性判断を行うとよい。また、オートブラケット撮影モードが設定された事実をもって撮影意図存在の処理を行ってもよい。
【００４２】
撮影画像間の類似性の判断は撮影された各静止画像データ間の相関を判別することにより行い、相関が高いと判断された場合、すなわち、撮影画像間に類似性が存在すると識別された場合には、類似性の高い画像すべてにつき、撮影意図が存在するものとの処理をする。相関の高低の判別は、動きベクトルを考慮して画像間の差分をとる方法で行われるが、詳細は後述する。この撮影画像間の類似性を見て撮影意図の存否を判断する方法は、前述のカメラ設定履歴情報による撮影意図判断の方法に追加して行われる。
【００４３】
カメラ設定履歴情報が記録される形態及び撮影意図情報が生成される形態について説明する。図２は、カメラ設定履歴情報が記録される及び撮影意図情報が記録されるデータ形態を示した図である。撮影画像が記録されている画像データには、付属情報として撮影条件情報、ユーザインテンションフラグ、機種情報が付与されている。
【００４４】
撮影条件情報には、ホワイトバランスを自動で行ったか又は手動で行ったかを示すホワイトバランス自動／手動情報、露出を自動で行ったか又は手動で行ったかを示す露出自動／手動情報、撮影光源として何を使用したか（例えば、太陽光、ろうそくの灯り、ストロボ光など）を示す撮影光源情報、撮影シーンとして何を設定したか（例えば、夜景、風景、人物など）を示す撮影シーン設定情報がある。
【００４５】
ユーザインテンションフラグは、撮影履歴情報を基にして撮影時に撮影意図があったと識別された場合に、前述の撮影意図存在の処理として立てられるものであり、通常１ビットの情報である。すなわち、撮影意図があったと識別された場合にこのユーザインテンションフラグがＯＮになる。
【００４６】
機種情報には、デジタルカメラの機種に関する情報が含まれている。
【００４７】
これらの撮影条件情報、ユーザインテンションフラグ、機種情報が画像データに付属して記録されるので、個々の画像データに対応して付属情報が形成された状態でメモリカード１８に記録保存される。
【００４８】
なお、カメラ設定履歴情報のうち、露出設定、露出補正、露出時間、ホワイトバランスがマニュアル値に設定されてから所定時間内に変更されずに同じ値であった場合には、誤設定と判断して一旦立てたユーザインテンションフラグを消去する。シャープネス、彩度強調、コントラスト、撮影シーン種別の各項目の設定値が変更されてから所定時間内に変更されずに同じ設定値であった場合にも、誤設定と判断して一旦立てたユーザインテンションフラグをＯＦＦに戻す。カメラ設定項目がマニュアル値に設定されてから又はカメラ設定項目の設定値が変更されてからそれぞれ所定時間内に変更されずに同じ設定値であるということは、撮影者が特定の撮影意図をもっていないと考えられることから、誤設定と判断して一旦立てたユーザインテンションフラグを消去する。
【００４９】
メモリカード１８に記録保存された画像データをプリントするときは、メモリカード１８をプリンタ２０のカードＩ／Ｆ２２に差し込む。画像データ及び付属情報はメモリカード１８から読み出されてメモリバッファ２６に送られ、メモリバッファ２６に一旦保存される。メモリバッファ２６に保存された画像データ及び付属情報は再生部２８に送られ、格納される。再生部２８では、画像データ及び付属情報が読み取られ、ユーザインテンションフラグがＯＮに設定されているかどうかも読み取られる。
【００５０】
ユーザインテンションフラグがＯＮに設定されている付属情報をもつ画像データは、撮影シーン設定情報が読み取られることにより設定されるプリント前処理パラメータの処理量が通常より低減または禁止される。または、ユーザインテンションフラグがＯＮに設定されている付属情報をもつ画像データは、他の撮影条件情報（例えば、ホワイトバランス、露出の自動／手動情報）を参照することによってプリント前処理パラメータの設定が変更されることにしてもよい。このように、前処理パラメータが変動されることによって、濃度処理部３２における濃度処理、エッジ強調処理部３４におけるエッジ強調処理、ホワイトバランス補正処理部３６におけるホワイトバランス補正が、マニュアル設定された撮影条件等に沿って行われ、ユーザの意図に従った印刷出力が行われる。
【００５１】
上述した、カメラ設定を所定時間内に変更した場合にユーザインテンションフラグをＯＮにする処理を説明する。図３は、カメラ設定を所定時間内に変更した場合にユーザインテンションフラグをＯＮにする処理の流れを示したフローチャートである。
【００５２】
まず、ユーザインテンションフラグが初期値としてＯＦＦである状態が存在する（ステップ４０）。デジタルカメラでフレームｎを撮影する（ステップ４２）。撮影時の露出が自動であるかどうか判断する（ステップ４４）。自動である場合には、次のコマについてのステップに進む（ステップ５２）。手動である場合には、撮影時刻がｔｓｅｃ　以内の過去の記録済み画像（ｎ−ｋ〜ｎ−１）の露出設定情報、ゲイン情報を読み取る（ステップ４６）。この「ｔｓｅｃ　以内」は「ｔ分以内」としてもよい。ｎ−ｋ〜ｎ−１の画像で露出設定が一定であったかどうか判断する（ステップ４８）。一定であった場合は、次のコマについてのステップに進む（ステップ５２）。一定でない場合は、ユーザインテンションフラグをＯＮにする（ステップ５０）。一定でない場合とは、撮影時に露出補正した場合、オートブラケット撮影した場合、露出値をマニュアル設定して新しい値で撮影した場合を含む。その後、次のコマについてのステップに進む（ステップ５２）。
【００５３】
一方、撮影画像間の相関性を検知し、類似画像と判断された場合の露出モードの操作履歴から、類似画像を異なる露出設定で複数回記録したと判別された場合に、ユーザインテンションフラグをＯＮにする処理を説明する。図４は、類似画像を異なる露出設定で複数回記録したと判別された場合にユーザインテンションフラグをＯＮにする処理の流れを示したフローチャートである。このフローチャートでは、撮影画像の相関を、連続する画像データ間の差分値から動きベクトルを考慮した画像間の類似性で判断している。
【００５４】
まず、ユーザインテンションフラグが初期値としてＯＦＦである状態が存在する（ステップ５４）。デジタルカメラでフレームｎを撮影する（ステップ５６）。今撮影したフレーム（ｎ）と１つ前のフレーム（ｎ−１）との画像の差分値をとる（ステップ５８）。差分値から動きベクトルを検出し、動きベクトルを考慮した補正を差分値に対して行う（ステップ６０）。被写体が動いていたり、カメラパンがされていたりする場合にも同一対象を撮影していることを判別するためである。動きベクトル補正後の差分値の総和が所定値より小さいかどうか判断する（ステップ６２）。差分値の総和が所定値以上の場合は、異なる画像を撮影したとみなして次のコマについてのステップに進む（ステップ７２）。差分値の総和が所定値より小さい場合は、類似の画像を撮影したとみなして、さらに露出設定が自動であるかどうかみる（ステップ６４）。自動である場合は、次のコマについてのステップに進む（ステップ７２）。自動でない場合は、直前のフレーム（ｎー１）と同一露出の設定がされているかどうかみる（ステップ６６）。同一露出の設定でない場合には、露出が変更されたとしてユーザインテンションフラグをＯＮにし（ステップ６８）、その後、次のコマについてのステップに進む（ステップ７２）。ステップ６６でフレーム（ｎー１）と同一露出の設定がされている場合には、撮影シーン種別設定が標準であるかどうかみる（ステップ７０）。標準でない場合には、ステップ６８に移行してユーザインテンションフラグをＯＮにする。標準である場合には、次のコマについてのステップに進む（ステップ７２）。
【００５５】
上述の流れでは、連続する撮影フレームｎ−１、ｎについて述べたが、過去に撮影した画像のなかから相関画像を検索し、類似シーンについて異なる設定で撮影されたか否かを判断してもよい。
【００５６】
また、上述の流れでは、露出設定が同一であった場合に、撮影シーン種別設定（標準／風景／夕暮れ／夜景／ポートレート／集合写真等）を参照しているが、撮影時のシャープネス強度、彩度強調、感度設定、コントラスト設定、光源設定などの変更履歴を参照し、これらが変更されていた場合に、ユーザインテンションフラグをＯＮとしてもよい。
【００５７】
本実施の形態によれば、撮影者の意図をユーザを煩わせることなく適切にプリント時パラメータとして設定することにより、撮影者の意図した画質の画像出力が得られる。また、デジタルカメラに設定してある条件を、デジタルカメラがユーザの撮影意図と誤って判断し、ユーザインテンションフラグを不適切に設定することが防止できる。
【００５８】
【発明の効果】
本発明のデジタルカメラによれば、撮影者の撮影意図に合致した画質の画像が再生できるように画像再生装置に自動的に撮影意図情報を提供できるので、ユーザは記録画像データを再生するときに撮影意図に合った画質で再生できる。
【００５９】
本発明の画像再生装置によれば、デジタルカメラで撮影した画像を再生する際に自動的に撮影者の撮影意図を反映した画質で画像再生できる。
【図面の簡単な説明】
【図１】デジタルカメラ及びプリンタの構成を示すブロック図。
【図２】カメラ設定履歴情報が記録される及び撮影意図情報が記録されるデータ形態を示した図。
【図３】カメラ設定を所定時間内に変更した場合にユーザインテンションフラグをＯＮにする処理の流れを示したフローチャート。
【図４】類似画像を異なる露出設定で複数回記録したと判別された場合にユーザインテンションフラグをＯＮにする処理の流れを示したフローチャート。
【符号の説明】
２…デジタルカメラ、４…撮像部、６…画像処理部、８…撮影モード設定部、１２…ＣＰＵ、１４…メモリバッファ、１８…メモリカード、２０…プリンタ、２４…ＣＰＵ、２６…メモリバッファ、２８…再生部、３０…画像判定部、３２…濃度処理部、３４…エッジ強調処理部、３６…ホワイトバランス補正処理部、３８…プリントエンジン
【図１】
2004056440.tif 000003
【図２】
2004056440.tif 000004
【図３】
2004056440.tif 000005
【図４】
2004056440.tif 000006